(57)【要約】【課題】十分な上下方向の幅がない引き出し収納部に対して高い空間を有する収納部を一体として設けることで、高さの異なる収納物品を収納部のスペースを有効に利用して収納でき、しかも引き出し収納部に連動して高い空間を有する収納部を開閉可能とするキャビネットを実現する。【解決手段】引き出し収納部３の上方に幅狭の上部収納空間９を有し、この上部収納空間９の前面に扉１４を備え、扉１４は開く方向に作用するバネ３４を備え、 引き出し収納部３は扉１４を閉じる方向に付勢する扉押さえ具１６を備え、引き出し収納部３を前方にスライドさせることにより、扉１４が開かれる。【選択図】図３
2006296759.tif 000002
【特許請求の範囲】
【請求項１】
引き出し収納部の上方に上部収納空間を有し、この上部収納空間の前面に扉を備えたキャビネットであって、引き出し収納部を前方にスライドさせることにより、前記扉が開かれることを特徴とするキャビネット。
【請求項２】
請求項１記載のキャビネットであって、前記扉は開く方向に作用する弾性体を備え、 前記引き出し収納部は前記扉を閉じる方向に付勢する扉押さえ具を備えたことを特徴とするキャビネット。
【請求項３】
請求項１または２記載のキャビネットであって、前記上部収納空間は引き出し収納部の端部寄りに形成された幅狭の空間で、前記上部収納空間の側方は、前記引き出し収納部とは別の機能を有する別機能空間であることを特徴とするキャビネット。
【発明の詳細な説明】
【技術分野】
【０００１】
本発明は、キャビネットに関し、特に、引き出し収納部の上方に上部収納空間を有し、高さの異なるボトル等も収納できるキッチンキャビネット等として利用できるキャビネットに関する。
【背景技術】
【０００２】
キャビネットでは、収納部としていろいろな構造がある。例えば、キッチンキャビネットの底板に引き出し収納部を設ける構成は公知である（特許文献１参照）。
【０００３】
また、収納される物品もいろいろな大きさ、高さ、形状のものがある。従来、キッチンキャビネットに高さの異なるボトル等の物品を収納するために、引き出し収納部の内部に、最大高さのボトルに接触しない第２の引き出し収納部を設ける構造は、公知である（特許文献２参照）。また、収納家具の下段に引き出し収納部を設け、その上方は上下方向に広幅の開放空間とする構造は公知である（特許文献３参照）。
【０００４】
【特許文献１】実公昭５７−２４１９２号公報
【特許文献２】特開２００２−１１２８４３号公報
【特許文献３】実用新案登録第３０８６９１２号公報
【発明の開示】
【発明が解決しようとする課題】
【０００５】
収納される物品について、高さの異なるボトル等の物品の場合には、高さの高い方の物品に合わせた収納スペースが必要であるから、収納スペースを大きく余計にとらなくてはならない。この結果、無駄な収納スペースが生じる。このような無駄な収納スペースをなるべく少なくし、収納スペースを有効に利用して収納できるキャビネットの構造が求められている。
【０００６】
上記特許文献２、３で示すような従来のキャビネットは、上下方向に十分なスペースがある引き出し収納部には適しているが、十分な上下方向の幅がない引き出し収納部では、高いボトルを収納することができない。
【０００７】
本発明は、高さの異なるボトル等の物品を収納部のスペースを有効に利用して収納できるキャビネット得ることを目的とし、十分な上下方向の幅がない引き出し収納部に対しても高い空間を有する上部収納空間を一体として設け、しかも引き出し収納部に連動して高い空間を有する収納部を開閉可能とするキャビネットを実現することを課題とするものである。
【課題を解決するための手段】
【０００８】
本発明は上記課題を解決するために、引き出し収納部の上方に上部収納空間を有し、この上部収納空間の前面に扉を備えたキャビネットであって、引き出し収納部を前方にスライドさせることにより、前記扉が開かれることを特徴とするキャビネットを提供する。
【０００９】
前記扉は開く方向に作用する弾性体を備え、 前記引き出し収納部は前記扉を閉じる方向に付勢する扉押さえ具を備えていることが好ましい。
【００１０】
前記上部収納空間は引き出し収納部の端部寄りに形成された幅狭の空間で、前記上部収納空間の側方は、前記引き出し収納部とは別の機能を有する別機能空間であることが好ましい。
【発明の効果】
【００１１】
本発明に係るキャビネットによれば、次のような顕著な効果が生じる。
（１）高さの高いボトル等の物品を収納する上部収納空間を、引き出し用空間と連通して引き出し収納部の上方に設けたので、高さの異なるボトル等でも、収納部のスペースを有効に利用して収納できる。
【００１２】
（２）上部収納空間を開閉する扉を、引き出しに連動して自動的に開くことができる構造としたので、引き出しを開きさえすれば、上部収納空間の扉を開く手間が省け、引き出し収納部とともに上部収納空間も使用できる。
【発明を実施するための最良の形態】
【００１３】
本発明に係るキャビネットを実施するための最良の形態を実施例に基づき図面を参照して、以下説明する。
【実施例】
【００１４】
本発明に係るキャビネットの実施例を、キッチンキャビネットで説明する。図１（ａ）に、本発明の実施例であるキャビネット１の要部を示す。この実施例のキャビネット１は、キッチンキャビネットであり、このキャビネット１の上部には、引き出し収納部とは別の機能を有する別機能空間であるシンク部２又はコンロ部が設けられており、下部には引き出し収納部３（引き出し本体）が設けられている。
【００１５】
引き出し収納部３は、キャビネット１に前後方向にスライド可能（手前に引き出し、奥に押し込み可能）に設けられている。この引き出し収納部３が設けられている引き出し用空間４は、側板６、天板７、底板８、及び奥板（図示しない）で囲まれて形成される。
【００１６】
引き出し収納部３の横幅方向の側端部寄りの上方には、引き出し用空間４と連通し、引き出し収納部３の上方に拡がり、高く且つ幅狭の空間である上部収納空間９が形成されている。この上部収納空間９は、側板６の上部、天板７の側縁に沿った側板１０、頂板１１、及び奥板（図示しない）とから囲まれて形成されている。また、上部収納空間９は幅狭に形成されているので、上部収納空間９の側方は別機能空間であるシンク部２又はコンロ部のスペースを確保することができる。
【００１７】
図１（ｂ）は、キャビネット１の使用状態の一例を示しているが、この図１（ｂ）に示すように、高さの高いボトル１２等は、引き出し収納部３上に起立して収納しても、その上部が上部収納空間９内に収まる。
【００１８】
上部収納空間９の構造を補強する場合は、図１（ｃ）に示すような補強具１３を使用すればよい。この補強具１３は、金属又は強化プラスチック等の材料によりほぼクランク状に形成されている。この補強具１３を、天板７の下面、側板１０の内面、頂板１１の下面及び側板６の内面に沿って当接し、ネジで固定することで、上部収納空間９の構造を強化することができる。このような補強具１３を使用すれば、上部収納空間９を構成する横桟を設けない場合でも強度を付与することができる。
【００１９】
図１（ａ）、（ｂ）に示すように、上部収納空間９の前面側の開口を開閉する扉１４が取り付けられてる。この扉１４は、側板６の上部に、扉取付具１５によって、開閉自在に取り付けられている。
【００２０】
引き出し収納部３の前板５の幅方向の側部の上面には扉押さえ具１６がネジ止めされている。図２（ａ）は、扉押さえ具１６の構造を示しており、左右の端部１７が後方に湾曲状に曲げられている。この扉押さえ具１６は、扉１４が閉じられ、さらに引き出し収納部３が閉じられた状態で、扉１４の前面に係合して、開かないようにするものである。よって、扉押さえ具１６の前板５の上面への取付位置は、扉１４が閉じた状態で扉押さえ具１６の湾曲状の端部１７が当接するような位置とする。
【００２１】
図２（ｂ）は扉取付具１５を示し、図２（ｃ）は扉１４を示している。扉取付具１５は、固定板１８と、上部枢着支持板１９及び下部枢着支持板２０とから一体に形成されている。固定板１８の上下には、それぞれ固定用ねじ挿通孔２１が形成されている。固定板の外面には固定板側のバネ受け２２が固定されている。
【００２２】
図２（ｂ）に示すように、上部枢着支持板１９及び下部枢着支持板２０には、それぞれ枢着用の支持孔２３が形成されている。この枢着用の支持孔２３は、扉１４の枢支ピン２４を受け入れて回転可能に支持するものである。上部枢着支持板１９の上面には回り止め用突起２５が突設されている。回り止め用突起２５は、扉１４が開いた際に扉１４に係合し扉１４の開き過ぎを防止する。
【００２３】
図２（ｃ）に示すように、扉１４は、上枠２６、下枠２７及び側枠２８から成るコの字型のフレーム２９と、扉板３０とから一体的に形成されている。上枠２６の基端側（図２（ｃ）の左側）の下面に枢支ピン２４が下方に向けて突設され、下枠２７の基端側の上面に枢支ピン２４が上方に向けて突設されている。扉板３０の基端側の内面には、扉側のバネ受け３１が固定されている。
【００２４】
図３（ａ）は、扉１４を扉取付具１５で側板６に取り付けた状態を示す斜視図である。この扉１４の取付構造は次のとおりである。扉取付具１５は、側板６の上部内面３２にネジで固定される。この場合、上部枢着支持板１９、下部枢着支持板２０及びバネ受け２２が側板６の前面３３に当接した状態となる。
【００２５】
このように側板６に扉取付具１５を固定してから、上部枢着支持板１９と下部枢着支持板２０を上下から挟むように、扉１４の上枠２６及び下枠２７を装着する。そして、上枠２６及び下枠２７の枢支ピン２４、２４を、 それぞれ上部枢着支持板１９及び下部枢着支持板２０の枢着用の支持孔２３、２３に嵌合する。これにより、扉１４は、側板６に対して回転可能に取り付けられる。
【００２６】
図２（ｄ）は、バネ３４（弾性体）を示しいる。このバネ３４は、扉取付具１５のバネ受け２２及び扉１４のバネ受け３１に装着され、扉１４を開く方向に付勢している。バネ３４は、トーションバネ等が使用される。例えば、トーションバネを複数重ね合わせたようなバネを使用し、その一端を扉取付具１５のバネ受け２２に装入し、他端を扉１４のバネ受け３１に装入して、扉取付具１５と扉１４との間に装着される。
【００２７】
（作用）
以上の構成から成る実施例のキャビネット１の作用を説明する。扉１４は、バネ３４によりは開く方向（図３（ｄ）の点線円弧状の矢印方向）に付勢されている。従って、図３（ｂ）、（ｄ）に示すように、引き出し収納部３を前方（図３（ｄ）の点線直線矢印方向）にスライドして開くと、扉１４も自動的に開いた状態となり、回り止め用突起２５により開き過ぎないように係止されている。
【００２８】
この扉１４が開いた状態（図１（ａ）、（ｂ））で、例えば、図１（ｂ）に示すように、高さの高いボトル１２をその上部が上部収納空間９に入るように、引き出し収納部３に載置する。このように、引き出し収納部３の本体は、上下幅を高さの高いボトル１２等に合わせて大きな寸法としなくても済み、また、高さの高いボトル１２等でも、横に寝かせなくても起立した状態で収納可能となるので、スペースを有効に使用することができる。
【００２９】
扉１４を閉じる際には、例えば、使用者が扉１４をバネ３４に抗して、図３（ｄ）の実線円弧状矢印方向に少し閉じてから、引き出し収納部３を図３（ｄ）の実線直線矢印方向に押し込むようにスライドする。すると、引き出し収納部３の扉押さえ具１６が、扉１４の前面に当接して押圧し扉１４も図３（ｄ）の実線円弧状矢印方向に回転して閉じる。そして、引き出し収納部３を開かないかぎり、扉押さえ具１６が扉１４の前面に係合し、バネ３４の付勢力に抗して扉１４は図３（ｃ）、（ｅ）に示すように、閉じた状態となる。
【００３０】
しかし、引き出し収納部３を手前に引いて開くと、扉押さえ具１６による扉１４の押さえが解除されるので、前述のとおり、図３（ｂ）、（ｄ）に示すように、バネ３４の付勢力で自動的に開く。よって、引き出し収納部３を開く動作に応じて扉１４も自動的に開くことができるので、高さの高いボトル１２等も、引き出し収納部３の他の収納物品と同様に、その収納、取り出しを簡単、スムースに行うことができる。
【００３１】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３２】
以上、本発明に係るキャビネットを説明したが、このような構成のキャビネットは、キッチンキャビネットに限らず、ボトル専用キャビネット、洗面キャビネット等、その他いろいろな収納用キャビネットにも適用することもできる。
【図面の簡単な説明】
【００３３】
【図１】本発明に係るキャビネットの実施例を説明する斜視図であり、（ａ）はキャビネットの要部を示し、（ｂ）はその使用状態を説明する図であり、（ｃ）は上部収納空間の補強具及び補強構造を示す図である。
【図２】本発明の実施例のキャビネットの部品を説明する図であり、（ａ）は扉押さえ具を示し、（ｂ）は扉取付具を示し、（ｃ）は扉を示し、（ｄ）はバネを示す。
【図３】（ａ）は本発明の実施例のキャビネットにおける扉の取付構造を示す斜視図であり、（ｂ）、（ｃ）はその扉の開閉状態を示す図であり、（ｄ）、（ｅ）は（ｂ）、（ｃ）のＡ−Ａ、Ｂ−Ｂ断面であって扉押さえ具と扉との関連動作を説明する図である。
【符号の説明】
【００３４】
１  キャビネット                    
２  シンク部                        
３  引き出し収納部                  
４  引き出し用空間                  
５  引き出し収納部の前板            
６  キャビネットの側板              
７  天板                            
８  底板                            
９  上部収納空間                    
１０   天板の側縁に沿った側板     
１１   頂板                         
１２   ボトル                       
１３   補強具                       
１４   扉                           
１５   扉取付具                     
１６   扉押さえ具                   
１７   扉押さえ具の湾曲状の端部     
１８   固定板                       
１９   上部枢着支持板               
２０   下部枢着支持板               
２１   固定用ねじ挿通孔             
２２   固定板側のバネ受け           
２３   枢着用の支持孔               
２４   扉の枢支ピン                 
２５   回り止め用突起               
２６   扉の上枠                     
２７   扉の下枠                     
２８   扉の側枠                    
２９   扉のコの字型のフレーム       
３０   扉板                         
３１   扉側のバネ受け 
３２   天板の側縁に沿った側板の上部内面         
３３   側板の前面                 
３４   バネ                         
【図１】
2006296759.tif 000003
【図２】
2006296759.tif 000004
【図３】
2006296759.tif 000005